(57)【要約】【課題】プランジャを直線的に往復移動させて、品質信頼性向上を図る。【解決手段】プランジャ２が磁力源７の磁力で中心孔１６に入る方向に吸引される場合または磁力源７の消磁に伴うばね１７のばね力で中心孔１６より出る方向に突出する場合のいずれかまたは両方において、プランジャ２の直線運動を回転運動に変換するレバー１８の動きに左右されることなく、プランジャ２が磁力源７の中心孔１６に対し直線的に移動し、プランジャ２が中心孔１６を囲む磁力源７に接触することがなく、プランジャ２の動きが最良となり、電磁ソレノイド１の耐久性が向上する。【選択図】        図１
2004180820.tif 000002
【特許請求の範囲】
【請求項１】
プランジャの直線的な移動を保持するガイド機構が遊技部品の可動体を駆動する電磁ソレノイドのプランジャと電磁ソレノイドを固定するソレノイドフレームとに設けられたことを特徴とする遊技部品の駆動装置。
【請求項２】
ガイド機構がプランジャに取り付けられるガイド凸部と、このガイド凸部を摺接係合するべくソレノイドフレームに設けられたガイド凹部とを備えたことを特徴とする請求項１記載の遊技部品の駆動装置。
【発明の詳細な説明】
【０００１】
【発明の属する技術分野】
本発明は遊技部品の可動体を動かす駆動装置であって、電磁ソレノイドのプランジャを直線的に移動する構造に関する。
【０００２】
【従来の技術】
図３は従来の遊技部品の駆動装置を示す。図３において、電磁ソレノイド１は遊技部品の固定部２３に取り付けられたソレノイドフレーム３の内部に励磁コイルを含む磁力源７を備え、磁力源７の内部に形成された中心孔１６にプランジャ２を移動可能に挿入した形態である。プランジャ２の磁力源７よりも外側に突出した端部と遊技部品の固定部２３にレバーピン１９で回転可能に取り付けられたレバー１８の中間部とが互いにプランジャ２の端部に設けられた連結ピン２２とレバー１８に形成された長孔２０とを互いに嵌め合わせた形態で連結される。レバー１８の先端部には遊技部品の図外の可動体が連結される。（例えば、特許文献１参照）。
【０００３】
【特許文献１】
特開平８−２４３２２１号公報（第４頁、段落番号００１６、図２）
【０００４】
【発明が解決しようとする課題】
しかしながら、従来例はプランジャ２の直線運動をレバー１８の回転運動に変換することから、プランジャ２とレバー１８との連結部分が連結ピン２２と長孔２０との嵌め合いに構成されており、プランジャ２が動き始めはレバーピン１９の側に移動し、最後に正規の位置に戻るため、図４に示すようにプランジャ２が首を振って中心孔１６を囲む磁力源７に接触し、プランジャ２の動きが悪くなり、電磁ソレノイド１の耐久性が低下するという問題点があった。
【０００５】
そこで、本発明は、プランジャを直線的に往復移動させることで、品質信頼性の高い遊技部品の駆動装置を提供するものである。
【０００６】
【課題を解決するための手段】
本発明にあっては、プランジャの直線的な移動を保持するガイド機構が遊技部品の可動体を駆動する電磁ソレノイドのプランジャと電磁ソレノイドを固定するソレノイドフレームとに設けられたことによって、プランジャが磁力で吸引される場合またはばねのばね力で突出する場合のいずれかまたは両方において、プランジャの直線運動を回転運動に変換するレバーの動きに左右されることなく、プランジャが電磁ソレノイドの内部を電磁ソレノイドに接触することなく直線的に移動し、プランジャの動きが最良となり、電磁ソレノイドの耐久性を向上することができる。また、本発明にあっては、ガイド機構がプランジャに取り付けられるガイド凸部と、このガイド凸部を摺接係合するべくソレノイドフレームに設けられたガイド凹部とを備えれば、ガイド凸部をソレノイドフレームに設けるとともにガイド凹部をプランジャの側に設ける場合に比べ、駆動装置を小形化することできる。
【０００７】
【発明の実施の形態】
図１および図２は一実施形態であって、図１のａ図は遊技部品の駆動装置の断面を示し、図１のｂ図は同駆動装置における断面と直交する方向の側面を示し、図２は同駆動装置を分解して示す。
【０００８】
図１を参照し、遊技部品の駆動装置について説明する。駆動装置の電磁ソレノイド１はプランジャ２とソレノイドフレーム３と励磁コイルを含む磁力源７とを備え、プランジャ２とソレノイドフレーム３とにわたりガイド機構４を設ける。ガイド機構４はガイド凸部５とガイド凹部６とを備え、ガイド凸部５とガイド凹部６とが互いに嵌め合わされた状態において、プランジャ２の移動に伴いガイド凸部５とガイド凹部６とが相対的に直線移動することで、ガイド機構４が磁力源７の中心孔１６に対するプランジャ２の直線的な移動を保持する。ガイド凸部５をソレノイドフレーム３に設け、ガイド凹部６をプランジャ２に設けてもよいが、本実施形態ではガイド凸部５がプランジャ２に設けられ、ガイド凹部６がソレノイドフレーム３に設けられる。
【０００９】
図２を参照し、ガイド機構４の構造について説明する。プランジャ２はソレノイドフレーム３の内部に装着された磁力源７よりも下方に突出する部分に止輪８を備え、止輪８よりも下端部にレバー挿入溝９およびピン挿入孔１０を備える。レバー挿入溝９はプランジャ２の中心を通る直径方向に延びる。ピン挿入孔１０はレバー挿入溝９と直交する方向に貫通する。
【００１０】
スライダ１１は摩擦抵抗の少ない例えばＰＯＭまたはＰＣフッ素樹脂入り材料で、ソレノイドフレーム３の下部で相対峙する側壁の間に非接触に収納可能な大きさに形成される。スライダ１１の中心部にはスライダ１１の上下方向に貫通するプランジャ挿入孔１２を備え、スライダ１１の一端部にはプランジャ結合部１３を備える。プランジャ結合部１３はレバー挿入溝１４およびピン挿入孔１５を備える。レバー挿入溝１４はプランジャ挿入孔１２の中心を通る直径方向に延びる。ピン挿入孔１５はレバー挿入溝１４と直交する方向に貫通する。
【００１１】
ガイド凸部５はピン挿入孔１５と平行する方向でスライダ１１の外周面から径方向外側に突出するとともに、ピン挿入孔１５と直交する方向で互いに平行に相対峙する外側面を備える。ガイド凸部５はスライダ１１と同材料または金属で形成される。ソレノイドフレーム３は合成樹脂のような非磁性材料で形成される。ソレノイドフレーム３の内奥部には磁力源７が装着される。磁力源７よりも下部におけるソレノイドフレーム３の相対峙する側壁にはガイド凹部６が個別に形成される。ガイド凹部６は本実施形態ではソレノイドフレーム３の側壁を貫通した孔になっている。ガイド凹部６はガイド凸部５の平行な外側面と対向する方向で相対峙する平行な内側面を備える。
【００１２】
スライダ１１がソレノイドフレーム３におけるガイド凹部６の形成された側壁の間に挿入された状態において、ガイド凸部５の少なくとも一方がソレノイドフレーム３の外側からガイド凹部６を経由してスライダ１１に結合されることで、双方のガイド凸部５の先端部（スライダ１１よりも外側に突出した端部）が双方のガイド凹部６に個別に格納される。これによって、スライダ１１に設けられた双方のガイド凸部５とソレノイドフレーム３の双方のガイド凹部６とが互いに個別に嵌め込まれて摺接係合した形態となる。
【００１３】
ガイド凸部５の横幅Ｌ１およびガイド凹部６の横幅Ｌ２は、ガイド凸部５とガイド凹部６とが互いに嵌め合わされた場合、ガイド凸部５の平行な外側面とガイド凹部６の平行な内側面とが互いに接触するかまたは接触し得る程度の寸法に設定される。よって、ガイド凸部５とガイド凹部６とが互いに嵌め合わされることで磁力源７の中心孔１６に対するプランジャ２の直線的な移動を保持する。
【００１４】
ガイド凹部６におけるプランジャ２の軸方向と平行する方向の長さは、プランジャ２の往復移動を妨げないように、ガイド凹部６に挿入されたガイド凸部５がプランジャ２の往復移動に伴いガイド凹部６の内部をプランジャ２の軸方向と平行する方向に動き得る寸法になっている。プランジャ２が磁力源７の磁力で中心孔１６に入る方向に吸引される場合または磁力源７の消磁に伴うばね１７のばね力で中心孔１６より出る方向に突出する場合のいずれかまたは両方で、ガイド凸部５の長手方向端部とガイド凹部６の長手方向端部とが互いに接触し合うように設定すれば、プランジャ２の移動量を規制し、レバー１８で動かされる遊技部品における可動体の移動量（可動体が羽根や開閉体の場合には開度）を正確にすることができる。
【００１５】
ばね１７はプランジャ２に装着された止輪８と磁力源７との間でプランジャ２を非接触に取り囲むようにプランジャ２に外嵌装着されることで、プランジャ２が磁力源７の磁力で吸引される場合は収縮してばね力を蓄積し、磁力源７の消磁に伴い伸張する場合は上記蓄積したばね力でプランジャ２を突出する方向に移動する。レバー１８はレバーピン１９を回転中心としてプランジャ２の直線運動を回転運動に変換する部品であって、レバー１８の中間部には長孔２０を備え、レバー１８の先端部には可動側連結部２１を備える。
【００１６】
駆動装置の組立方について説明すると、プランジャ２の下端部がプランジャ挿入孔１２に挿入され、プランジャ２のレバー挿入溝９とスライダ１１のレバー挿入溝１４とが合わせられ、レバー１８の中間部がレバー挿入溝９；１４に挿入された状態において、連結ピン２２がピン挿入孔１０；１５と長孔２０とに挿入される一方、連結ピン２２が脱落しないようにプランジャ結合部１３に固定されるかまたは連結ピン２２のプランジャ結合部１３よりも外側に突出した部分に図外の止輪を装着する。これによって、プランジャ２とスライダ１１およびレバー１８がひとつのまとまりとなる。また、プランジャ２の先端部がばね１７を嵌め込んだ後に磁力源７の中心孔１６に挿入される。
【００１７】
これと平行し、少なくとも一方のガイド凸部５がスライダ１１から取り外された状態において、ソレノイドフレーム３の磁力源７よりも突出した側壁の間に挿入され、スライダ１１に結合しているガイド凸部５が１つのガイド凹部６に挿入された後、スライダ１１から取り外されているガイド凸部５がソレノイドフレーム３の外側からもう１つのガイド凹部６を経由してスライダ１１に結合されるとともに、当該ガイド凸部５の先端部がガイド凹部６に配置される。これによって、駆動装置が図１に示す形態に組み立てられる。
【００１８】
本実施形態によれば、図１に示すようにプランジャ２とソレノイドフレーム３とにわたり設けられたガイド機構４がプランジャ２の直線的な移動を保持するので、プランジャ２が磁力源７の磁力で中心孔１６に入る方向に吸引される場合または磁力源７の消磁に伴うばね１７のばね力で中心孔１６より出る方向に突出する場合のいずれかまたは両方において、プランジャ２の直線運動を回転運動に変換するレバー１８の動きに左右されることなく、プランジャ２が磁力源７の中心孔１６に対し直線的に移動し、プランジャ２が中心孔１６を囲む磁力源７に接触することがなく、プランジャ２の動きが最良となり、電磁ソレノイド１の耐久性が向上する。
【００１９】
ガイド凸部５がソレノイドフレーム３に設けられ、ガイド凹部６がプランジャ２の側に設けられてもよいが、本実施形態のようにガイド凸部５がプランジャ２に設けられ、ガイド凹部６がソレノイドフレーム３に設けられれば、駆動装置を小形化することできる。その理由は、例えば、ガイド凹部６をプランジャ２の側に設けるべく、図１のスライダ１１にガイド凹部６を設ける場合を想定すると、図１のスライダ１１のガイド凸部５が設けられる部分の軸心方向と平行する方向の厚さが図１の図示形態よりも厚くなるからである。ガイド凹部６は図１におけるソレノイドフレーム３の側壁の外側が閉鎖された溝でもよい。
【００２０】
レバー１８の最下降限度位置をガイド凸部５の長手方向端部とガイド凹部６の長手方向端部との接触で規制しなければ、ガイド凹部６はソレノイドフレーム３の側壁を下方に貫通した形態でもよい。また、ガイド凸部５は縦長な単一体に限定されるものではなく、２本の棒体をプランジャ２の軸心方向と平行する方向に離して設ければ、同様に適用することができる。ガイド凸部５がソレノイドフレーム３の材料との関係から摩擦抵抗の少ない材料で形成されれば、ガイド機構４での滑りもよくなり、ガイド機構４の耐久性が向上する。ソレノイドフレーム３に放熱孔を設け、磁力源７から発生する熱をソレノイドフレーム３の外部に適切に逃がすようにしてもよい。ばね１７は止輪８と磁力源７との間に装着せず、レバー１８と図３の固定部２３とに掛け渡してもよい。
【図面の簡単な説明】
【図１】一実施形態の駆動装置を示し、ａ図は一部を破断した正面図、ｂ図は側面図。
【図２】同実施形態の駆動装置を示す分解斜視図。
【図３】従来の駆動装置を示す断面図。
【図４】同従来の駆動装置の不都合を示す断面図。
【符号の説明】
１  電磁ソレノイド
２  プランジャ
３  ソレノイドフレーム
４  ガイド機構
５  ガイド凸部
６  ガイド凹部
１８  レバー
１９  レバーピン
２０  長孔
２２  連結ピン
【図１】
2004180820.tif 000003
【図２】
2004180820.tif 000004
【図３】
2004180820.tif 000005
【図４】
2004180820.tif 000006